(57)【特許請求の範囲】
【請求項１】
ラッチ受部と引っ掛かり可能なロック位置にあるラッチ部材が、操作部材の操作によりラッチ受部と引っ掛かり不能な解除位置に移動するように構成されたロック本体と、
前記ラッチ受部と相対的に変位する設置部に設けられ、前記ロック本体を保持する保持手段とを備え、
前記保持手段は、
前記設置部から立ち上がると共に離間して設けられ、互いに接離する方向へ弾性変形して前記ロック本体の挿脱を許容する一対の係止片と、
前記設置部から立ち上がると共に離間して設けられ、前記一対の係止片の間に配置された前記ロック本体を挟む一対の位置決め片とを有し、
前記ロック本体は、
前記一対の係止片に設けられた係止爪のそれぞれに対応して設けられ、該係止爪と引っ掛かる係止受部と、
前記位置決め片のそれぞれに対応して設けられ、該位置決め片を挟む規制部とを有している
ことを特徴とする車両搭載用ロック装置。
【請求項２】
前記一対の位置決め片は、前記ロック本体を挟む向かい合う面の間が、該ロック本体を挿入する開放端側から根元側に向かうにつれて幅が狭くなっている請求項１記載の車両搭載用ロック装置。
【請求項３】
前記ロック本体は、
前記係止受部および前記規制部が設けられたラッチベースと、
前記ラッチベースに移動可能に保持され、該ラッチベースとの間に設けられた付勢手段によりロック位置に向けて付勢された前記ラッチ部材と、
前記ラッチ部材に移動可能に保持され、ラッチ部材を解除位置とする操作位置とラッチ部材のロック位置で位置付けられる非操作位置との間で、ラッチ部材の移動方向と交差する方向に移動する前記操作部材とを備え、
前記操作部材は、
非操作位置側から操作位置側へ向かうにつれてロック位置側へ傾くように形成され、ラッチ部材に設けられた案内軸と当接して、操作部材の非操作位置から操作位置への移動に伴ってラッチ部材を解除位置へ向けて案内する案内部と、
前記案内部の操作位置側に設けられ、ロック位置にあるラッチ部材の前記案内軸と引っ掛かって非操作位置を越えた操作部材の移動を規制する停止部とを有し、
前記ロック本体は、前記ラッチ部材が解除位置を越えた位置まで移動可能であると共に、ラッチ部材の解除位置を越えた位置で前記案内軸が前記操作部材の移動に伴う前記停止部の移動経路から外れるよう構成された請求項１または２記載の車両搭載用ロック装置。
【請求項４】
前記ラッチベースは、対向するように配置されると共に互いに接離する方向へ弾性変形可能に構成された一対の壁に、前記ラッチ部材の移動方向に沿って形成された取付部をそれぞれ有し、
前記ラッチ部材は、前記一対の壁の間に配置されると共に、前記取付部のそれぞれに対応して設けられた取付軸が取付部に案内されて、前記ラッチベースに保持される請求項３記載の車両搭載用ロック装置。
【請求項５】
前記案内軸は、前記ラッチ部材に設けられた連係開口を画成して対向する面から突出して、一対設けられ、
前記案内部および前記停止部は、前記操作部材の前記連係開口に挿入される連係部に、両案内軸のそれぞれに対応して設けられた請求項３または４記載の車両搭載用ロック装置。
【発明の詳細な説明】
【技術分野】
【０００１】
この発明は、自動二輪車などの車両搭載装置に用いることができる車両搭載用ロック装置に関するものである。
【背景技術】
【０００２】
自動二輪車や四輪車などの車両には、車両搭載装置として、蓋体により出し入れ口を開閉する収納ボックスが設けられることがある。このような収納ボックスは、収納本体の出し入れ口を開閉する蓋体を閉じた状態で保持するロック装置を備え、ロック装置により蓋体が不用意に開放しないようになっている(例えば特許文献１参照)。ロック装置は、操作ボタンと、操作ボタンの押圧操作により移動するラッチ部材とが、ハウジングに取り付けられ、ハウジングの本体から延出する左右部分に形成された取付孔に通したねじを収納本体にねじ込んで収納本体に固定される。ロック装置は、ばねによりハウジングから突出するラッチ部材が蓋体に引っ掛かって、蓋体の開放を規制すると共に、操作ボタンの押圧操作によりラッチ部材がハウジング側へ退避することで、蓋体の開放を許容する。
【先行技術文献】
【特許文献】
【０００３】
【特許文献１】特開２００４−４４１１４号公報
【発明の概要】
【発明が解決しようとする課題】
【０００４】
前述したロック装置は、収納本体にねじ止めする構成であるので、ねじを通す取付孔をハウジングの本体から張り出した左右部分に形成する必要があり、全体として大型化してしまう難点がある。また、ロック装置をねじ止めするという工程が発生し、手間がかかってしまう。更に、ロック装置を収納本体にねじ止めする際にドライバーなどの工具を通すスペースができるように、ロック装置自体または周辺部材の形状や配置などが制約されることもある。
【０００５】
すなわち本発明は、従来の技術に係る前記問題に鑑み、これらを好適に解決するべく提案されたものであって、コンパクトで、簡単に取り付けることができる車両搭載用ロック装置を提供することを目的とする。
【課題を解決するための手段】
【０００６】
前記課題を克服し、所期の目的を達成するため、本願の請求項１に係る発明の車両搭載用ロック装置は、
ラッチ受部と引っ掛かり可能なロック位置にあるラッチ部材が、操作部材の操作によりラッチ受部と引っ掛かり不能な解除位置に移動するように構成されたロック本体と、
前記ラッチ受部と相対的に変位する設置部に設けられ、前記ロック本体を保持する保持手段とを備え、
前記保持手段は、
前記設置部から立ち上がると共に離間して設けられ、互いに接離する方向へ弾性変形して前記ロック本体の挿脱を許容する一対の係止片と、
前記設置部から立ち上がると共に離間して設けられ、前記一対の係止片の間に配置された前記ロック本体を挟む一対の位置決め片とを有し、
前記ロック本体は、
前記一対の係止片に設けられた係止爪のそれぞれに対応して設けられ、該係止爪と引っ掛かる係止受部と、
前記位置決め片のそれぞれに対応して設けられ、該位置決め片を挟む規制部とを有していることを要旨とする。
請求項１に係る発明によれば、保持手段の係止爪およびロック本体の係止受部の引っ掛け構造と、保持手段の一対の位置決め片によるロック本体の挟み込み構造と、ロック本体の規制部による位置決め片の挟み込み構造とによって、ロック本体を設置部に対して三次元的に拘束した状態で保持することができる。また、ロック本体を保持する保持手段として、ねじなどの締結手段を用いていないので、工具を用いることなく、ロック本体を簡単に着脱することができると共に、ロック本体に締結手段を通すための部位を設ける必要がないので、ロック本体をコンパクトにすることができる。更に、締結手段をねじ込むために工具を通すスペースを配慮する必要がないので、ロック本体や該ロック本体の周辺に配置される部材の設計の自由度を向上することができる。
【０００７】
請求項２に係る発明では、前記一対の位置決め片は、前記ロック本体を挟む向かい合う面の間が、該ロック本体を挿入する開放端側から根元側に向かうにつれて幅が狭くなっていることを要旨とする。
請求項２に係る発明によれば、一対の位置決め片における対向する面の間が開放端側から根元側に向かうにつれて幅が狭くなっているので、一対の位置決め片の間にロック本体を配置する際に、対向する面によってロック本体を適正な位置になるように案内することができる。
【０００８】
請求項３に係る発明では、前記ロック本体は、
前記係止受部および前記規制部が設けられたラッチベースと、
前記ラッチベースに移動可能に保持され、該ラッチベースとの間に設けられた付勢手段によりロック位置に向けて付勢された前記ラッチ部材と、
前記ラッチ部材に移動可能に保持され、ラッチ部材を解除位置とする操作位置とラッチ部材のロック位置で位置付けられる非操作位置との間で、ラッチ部材の移動方向と交差する方向に移動する前記操作部材とを備え、
前記操作部材は、
非操作位置側から操作位置側へ向かうにつれてロック位置側へ傾くように形成され、ラッチ部材に設けられた案内軸と当接して、操作部材の非操作位置から操作位置への移動に伴ってラッチ部材を解除位置へ向けて案内する案内部と、
前記案内部の操作位置側に設けられ、ロック位置にあるラッチ部材の前記案内軸と引っ掛かって非操作位置を越えた操作部材の移動を規制する停止部とを有し、
前記ロック本体は、前記ラッチ部材が解除位置を越えた位置まで移動可能であると共に、ラッチ部材の解除位置を越えた位置で前記案内軸が前記操作部材の移動に伴う前記停止部の移動経路から外れるよう構成されたことを要旨とする。
請求項３に係る発明によれば、ラッチ部材を解除位置を越えた位置とすることで、操作部材の停止部の移動経路からラッチ部材の案内軸が外れる構成であるから、操作部材をラッチ部材に対して簡単に着脱することができる。
【０００９】
請求項４に係る発明では、前記ラッチベースは、対向するように配置されると共に互いに接離する方向へ弾性変形可能に構成された一対の壁に、前記ラッチ部材の移動方向に沿って形成された取付部をそれぞれ有し、
前記ラッチ部材は、前記一対の壁の間に配置されると共に、前記取付部のそれぞれに対応して設けられた取付軸が取付部に案内されて、前記ラッチベースに保持されることを要旨とする。
請求項４に係る発明によれば、ラッチ部材の取付軸をラッチベースの取付部で保持する構成であるから、ラッチ部材をラッチベースに簡単に着脱することができる。
【００１０】
請求項５に係る発明では、前記案内軸は、前記ラッチ部材に設けられた連係開口を画成して対向する面から突出して、一対設けられ、
前記案内部および前記停止部は、前記操作部材の前記連係開口に挿入される連係部に、両案内軸のそれぞれに対応して設けられたことを要旨とする。
請求項５に係る発明によれば、ラッチ部材の連係開口に挿入された操作部材の連係部が、一対の案内軸に挟まれているから、操作部材の姿勢を安定させることができる。
【発明の効果】
【００１１】
本発明に係る車両搭載用ロック装置によれば、コンパクトにできると共に、簡単に取り付けることができる。
【図面の簡単な説明】
【００１２】
【図１】本発明の好適な実施例に係るロック装置が適用された収納ボックスを示す斜視図であり、(ａ)はリッドが閉じ姿勢にあり、(ｂ)はリッドが開き姿勢にある。
【図２】実施例のロック装置を示す斜視図である。
【図３】実施例のロック装置を示す斜視図であって、保持手段からロック本体を分離した状態を示す。
【図４】実施例のロック装置をリッドの内側から見た斜視図である。
【図５】実施例のロック装置をリッドの外側から見た斜視図であって、ロック本体を保持手段へ取り付ける途中を示す。なお、操作部材は取り外してある。
【図６】実施例の位置決め片を示す説明図である。
【図７】実施例のラッチ部材と当受部との関係を示す説明図である。
【図８】実施例のロック装置を示す端面図であって、操作部材が非操作位置にあると共にラッチ部材がロック位置にある。
【図９】実施例のロック本体を示す斜視図であって、(ａ)は操作部材が非操作位置にあると共にラッチ部材がロック位置にあり、(ｂ)は操作部材が操作位置にあると共にラッチ部材が解除位置にあり、(ｃ)はラッチ部材をオーバーストローク位置にして操作部材をラッチ部材から分離した状態を示す。
【図１０】実施例のロック本体の要部を破断して説明する側面図であって、(ａ)は操作部材が非操作位置にあると共にラッチ部材がロック位置にあり、(ｂ)は操作部材が操作位置にあると共にラッチ部材が解除位置にある。
【図１１】実施例のロック本体の要部を破断して説明する側面図であって、ラッチ部材をオーバーストローク位置にして操作部材をラッチ部材から分離した状態を示す。
【図１２】実施例のラッチベースおよびラッチ部材を示す斜視図であって、(ａ)はラッチベースとラッチ部材とを組み合わせた状態を示し、(ｂ)はラッチベースとラッチ部材とを分離した状態を示す。
【発明を実施するための形態】
【００１３】
次に、本発明に係る車両搭載用ロック装置につき、好適な実施例を挙げて、添付図面を参照して以下に説明する。実施例では、本発明に係る車両搭載用ロック装置(単にロック装置という場合もある。)を、自動二輪車に設けられる車両搭載装置としての収納ボックスに適用した場合を説明する。また、実施例では、特に断りがない限り、収納ボックスにおいて閉じ姿勢にあるリッドを基準として、ロック装置の方向を指称する。
【実施例】
【００１４】
スクーター型の自動二輪車は、運転者が足を載せるフロントレストフロアの前部から立ち上がるフロントレッグシールドの内部に、図１に示すような収納ボックス１０が設けられている。実施例に係る収納ボックス１０は、運転者側(後方)に開口した箱状のボックス本体１２と、このボックス本体１２の下部に設けられたヒンジ１４に接続されたアーム１６に支持されて、ボックス本体１２の開口を開閉するリッド１８とを備えている。収納ボックス１０は、ボックス本体１２の開口縁にリッド１８を突き当てて開口を塞いだ閉じ姿勢でロック装置３０(図２参照)によりロックすることで、リッド１８を閉じ姿勢で保持することができる(図１(ａ))。また、収納ボックス１０は、操作部材３６を操作してロック装置３０によるロックを解除することで、ヒンジ１４を支点としてリッド１８を運転者側へ傾けてボックス本体１２の開口を開放することができる(図１(ｂ))。
【００１５】
図１(ａ)に示すように、リッド１８は、ボックス本体１２の下部に設けられたヒンジ１４から上方に延びてから運転席側に延びる「Ｌ」字状にそれぞれ形成されて、ボックス本体１２を左右に挟んで配置された一対のアーム１６,１６に支持されている。リッド１８は、アーム１６と連結されて、閉じ姿勢でボックス本体１２の開口と対向するリッドベース(設置部)２０と、このリッドベース２０に取り付けられて、リッド１８の運転者側を構成するリッドカバー２２とを備えている。リッド１８には、リッドベース２０とリッドカバー２２との間に取付スペースが画成され、この取付スペースにロック装置３０が配置されている。実施例では、設置ベース２４とこの設置ベース２４の外周縁から立ち上がる周壁部２６とにより運転席側に開放する箱状に形成されたリッドベース２０の開口を、板状のリッドカバー２２で塞いで、取付スペースを画成している。
【００１６】
図２、図３および図８に示すように、ロック装置３０は、ロック位置にあるラッチ部材３４がボックス本体１２に設けられたラッチ受部１３に係合可能に構成されたロック本体３２を備えている。ロック装置３０は、ラッチ受部１３と相対的に変位するリッド１８のリッドベース２０に設けられた保持手段３８,４０にロック本体３２が保持されている。ロック装置３０は、取付スペースに臨むように設けられた保持手段３８,４０により、取付スペースの内側でリッド１８に対して固定される。ロック装置３０は、リッドベース２０の下側に延在する周壁部２６に形成されたロック開口４２からロック本体３２におけるラッチ部材３４の一部およびラッチ部材３４を動かす操作部材３６の一部がリッドベース２０の外方に臨んでいる。ロック装置３０は、リッド１８の閉じ姿勢において、ボックス本体１２の開口縁下部から下方へ延出するフランジ部１２ａに貫通形成されたラッチ受部１３に挿入されたラッチ部材３４が、ラッチ受部１３に引っ掛かって、リッド１８を開放できないようにロックする。また、ロック装置３０は、ロック本体３２に設けられた操作部材３６の押圧操作によりロック位置から解除位置にラッチ部材３４が移動してラッチ受部１３から外れて、リッド１８のロックを解除する。
【００１７】
図２〜図４に示すように、保持手段は、リッドベース２０の設置ベース２４から立ち上がると共に対向するように設けられ、間にロック本体３２が配置される一対の係止片３８,３８を備えている。また、保持手段は、設置ベース２４から立ち上がると共に対向するように設けられ、一対の係止片３８,３８の間に配置されたロック本体３２を挟む一対の位置決め片４０,４０を備えている。一対の係止片３８,３８は、設置ベース２４におけるリッドカバー２２に対向する面から後方へ延出するように形成され、それぞれの先端に互いに近づく方向へ突出する係止爪３８ａを有している。また、左右に離間して配置された一対の係止片３８,３８は、互いに接離する左右方向へ弾性変形可能に構成されて、互いに離れる方向へ弾性変形することで、係止爪３８ａを乗り越えるロック本体３２の挿脱を許容する。一対の係止片３８,３８は、間に配置されたロック本体３２を設置ベース２４と係止爪３８ａとの間に挟んで、設置ベース２４から離れるロック本体３２の取り外し方向(後方)への移動を規制する。
【００１８】
図３〜図６に示すように、一対の位置決め片４０,４０は、設置ベース２４におけるリッドカバー２２に対向する面から後方へ延出するように形成され、実施例では、ロック開口４２の左右を画成する周壁部２６により構成されている。一対の位置決め片４０,４０は、ロック開口４２を挟んで左右に離間して配置された板状部分であり、ロック開口４２を画成する端面が、一対の係止片３８,３８の間に配置されたロック本体３２に当たることで、ロック本体３２の左右方向への移動を規制する。また、一対の位置決め片４０,４０は、ロック本体３２を挟む向かい合う端面の間が、ロック本体３２を挿入する開放端側から設置ベース２４に連なる根元側に向かうにつれて幅が狭くなるように形成されている(図６参照)。具体的には、一対の位置決め片４０,４０は、根元側の離間間隔がロック本体３２の左右幅に合わせて設定されるのに対して、開放端側の離間間隔がロック本体３２の左右幅よりも広く設定されている。
【００１９】
図５に示すように、ロック本体３２は、ラッチ部材３４を移動可能に保持するラッチベース４４を備えている。ラッチベース４４は、左右に対向配置された保持壁(壁)４６,４６の後端が連結壁４８で繋がった門型形状であり、両保持壁４６,４６の前端のそれぞれに互いに反対向きに延出するよう形成された当接片５４を、設置ベース２４に当てた状態で保持手段３８,４０に保持される(図４参照)。また、ロック本体３２は、ラッチベース４４に両係止片３８,３８のそれぞれに対応して設けられ、係止片３８の係止爪３８ａと引っ掛かる係止受部５０と、ラッチベース４４に両位置決め片４０,４０のそれぞれに対応して設けられ、位置決め片４０を挟む規制部５２とを備えている(図３および図５参照)。
【００２０】
図３および図５に示すように、係止受部５０は、保持壁４６の外面から左右方向(外方)へ延出するよう形成された板状片であり、保持壁４６において設置ベース２４から遠い側に、設置ベース２４と係止爪３８ａとの離間距離に合わせて配置されている。規制部５２は、保持壁４６の前端に設置ベース２４に合わせて形成された当接片５４と、保持壁４６における当接片５４の下側に外方へ延出するように形成されて、ロック本体３２の取付方向(位置決め片４０の立ち上がり方向)に沿って延在する誘導片５６とで構成されている。当接片５４の下端と該当接片５４の下端に対向する誘導片５６の前部とは、位置決め片４０の板厚に合わせて離間しており、誘導片５６が、当接片５４よりも後方へ延在している。規制部５２は、ロック本体３２を両位置決め片４０,４０の間に配置した際に、当接片５４の下端と誘導片５６の上面との間に配置される位置決め片４０を上下から挟む。
【００２１】
図９に示すように、ロック本体３２は、係止受部５０および規制部５２が設けられたラッチベース４４と、ラッチベース４４にロック位置と解除位置との間で移動可能に保持されたラッチ部材３４と、ラッチ部材３４の移動方向と交差する上下方向へ移動可能に設けられた操作部材３６とを備えている。図８に示すように、ラッチ部材３４は、該ラッチ部材３４の移動方向である前後方向に延在する第１ラッチ片３４ａと、第１ラッチ片３４ａの後端から上方に延在する第２ラッチ片３４ｂとを有する「Ｌ」字状の部材であり、ロック位置において第１ラッチ片３４ａの前端部がラッチ受部１３に挿入される。ラッチ部材３４には、第１ラッチ片３４ａから第２ラッチ片３４ｂにかけて上下(操作部材３６の移動方向)に貫通する連係開口５８が形成されている。ラッチ部材３４には、連係開口５８を画成して対向する左右の開口面のそれぞれから、互いに近づく方向へ突出する案内軸６０が設けられている。実施例では、第１ラッチ片３４ａと第２ラッチ片３４ｂとの屈曲部位に一対の案内軸６０,６０が配置されている。
【００２２】
図１２(ｂ)に示すように、ラッチ部材３４は、第１ラッチ片３４ａにおける左右の側面のそれぞれに形成されて、互いに反対向きに突出する第１取付軸６２と、第２ラッチ片３４ｂにおける左右の側面のそれぞれに形成されて、互いに反対向きに突出する第２取付軸６４とを備えている。ラッチ部材３４は、ラッチベース４４の保持壁４６における誘導片５６の下側に前後方向へ長手が延在するよう形成された第１取付孔(取付部)６６に、第１取付軸６２を内側から挿入して、左右の保持壁４６,４６の間に保持される。また、ラッチ部材３４は、保持壁４６における誘導片５６の上側に前後方向へ長手が延在するよう形成された第２取付孔(取付部)６８に、第２取付軸６４を内側から挿入して、第１取付孔６６および第２取付孔６８に沿って移動するよう案内される。ラッチベース４４は、左右の保持壁４６,４６が互いに接離する方向に弾性変形可能に構成されて、左右の保持壁４６,４６を互いに遠ざけるように弾性変形させて、取付軸６２,６４を取付孔６６,６８に挿脱可能となっている。
【００２３】
図１０に示すように、ラッチ部材３４は、ラッチベース４４の連結壁４８の内面と、連結壁４８と対向する第２ラッチ片３４ｂの後面との間に設けられた付勢手段７０により、ロック位置へ向けて付勢されており、取付軸６２,６４が取付孔６６,６８の前縁で移動規制されて、ロック位置で位置付けられる。なお、実施例では、付勢手段７０として、圧縮コイルばねなどの弾性部材が用いられ、付勢手段７０は、連結壁４８から突出するボスおよび第２ラッチ片３４ｂから突出するボスをコイル部分に挿入して保持されている。
【００２４】
図９および図１０に示すように、操作部材３６は、ラッチ部材３４を解除位置とする操作位置とラッチ部材３４のロック位置で位置付けられる非操作位置との間で移動する。操作部材３６は、ラッチ部材３４に上下方向へ移動可能に保持されている。操作部材３６は、リッドカバー２２の下部に形成されたボタン開口２２ａを介して運転者側に臨む板状のボタン部７２と、ボタン部７２の上面から上方へ突出する連係部７４とを備えている。操作部材３６は、ボタン部７２から離れるにつれて先細りになるよう形成された連係部７４が、ラッチ部材３４の連係開口５８に挿入される。ボタン部７２は、外周部がボタン開口２２ａの開口縁に重なるように配置されると共に、外周部と比べて下方へ突出するように形成された中央部がボタン開口２２ａに嵌まって、位置決めされている(図８参照)。
【００２５】
図１０および図１１に示すように、連係部７４には、非操作位置側から操作位置側へ向かうにつれてロック位置側へ傾くように形成された案内部７６が、左右両面に形成されると共に、案内部７６の操作位置側に位置して、停止部７８が左右両面に形成されている。案内部７６は、操作部材３６の移動方向と交差するように壁面が延在する凸状部分であり、対応する側にある案内軸６０と当接可能になっている。案内部７６は、操作部材３６における非操作位置から操作位置への上方移動に伴って、ロック位置と解除位置との間にあるラッチ部材３４の案内軸６０に当接して、案内軸６０を解除位置側へ移動するよう案内する。また、案内部７６は、解除位置からロック位置へ向けたラッチ部材３４の移動に伴って案内軸６０と当接して、非操作位置側へ移動するよう案内される。停止部７８は、案内部７６の操作位置側の端部から解除位置側に曲がるように連なり、壁面が操作部材３６の移動方向と直交するように延在する凸状部分であり、対応する側にある案内軸６０と当接可能になっている。停止部７８は、ロック位置と解除位置との間にあるラッチ部材３４の案内軸６０に対して、操作部材３６の移動方向において重なるように配置され、ロック位置にあるラッチ部材３４の案内軸６０と引っ掛かって、非操作位置を越えた操作部材３６の移動を規制する。
【００２６】
図９に示すように、操作部材３６は、ボタン部７２の上面から上方へ突出するよう形成されて、左右に離間して配置された一対の姿勢保持片８０,８０を備えている。一対の姿勢保持片８０,８０は、操作部材３６の連係部７４をラッチ部材３４の連係開口５８に挿入した際に、ラッチベース４４を間に挟むと共に、係止受部５０とこの係止受部５０の前側に形成された保持壁４６の段部４６ａとの間に挿入される。操作部材３６は、非操作位置と操作位置との移動に際して、保持壁４６、係止受部５０および保持壁４６の段部４６ａに姿勢保持片８０が当たることで、適正な経路で移動するよう案内される。
【００２７】
図９に示すように、ロック本体３２は、ロック位置から、ラッチ部材３４がラッチ受部１３より外れる解除位置までの移動距離よりも取付孔６６,６８が長く設定され、解除位置を越えたオーバーストローク位置までラッチ部材３４を後方へ移動可能に構成されている。また、ロック本体３２は、解除位置を越えて移動(以下、オーバーストロークという)したラッチ部材３４の案内軸６０が、操作部材３６の移動に伴う停止部７８の移動経路から後方へ外れるよう設定されている(図１１参照)。ロック本体３２は、ラッチ部材３４をオーバーストロークさせた際に、案内軸６０と停止部７８とが引っ掛からず、操作部材３６の連係部７４をラッチ部材３４の連係開口５８へ挿脱して、操作部材３６をラッチ部材３４に着脱することが可能となっている。
【００２８】
図７および図８に示すように、ロック装置３０は、リッドベース２０におけるラッチ部材３４に対向する周壁部２６に、該ラッチ部材３４の移動方向に沿って延在する当受部８２が設けられている。当受部８２は、一対の位置決め片４０,４０の間に延在する周壁部２６の外面に形成されたリブ状部分であり、実施例では左右に離間して２条設けられている。当受部８２は、ラッチベース４４における左右の保持壁４６,４６の間に嵌まって、リッドベース２０に対するロック本体３２の位置決めを補助している。また、当受部８２は、ラッチ受部１３と第１ラッチ片３４ａとの当たりによりラッチ部材３４に対して該ラッチ部材３４の移動方向と交差する方向へ作用する力の方向に合わせて、リッドベース２０の外側に臨む第１ラッチ片３４ａに対向して配置され、第１ラッチ片３４ａを支持する。具体的には、ラッチ受部１３にラッチ部材３４が挿入されたロック状態にあるときに、リッド１８を開放する下向きへ力が加わると、第１ラッチ片３４ａがラッチ受部１３の下側開口縁に引っ掛かって上向きに力が作用する。この際に、当受部８２は、第１ラッチ片３４ａの上側に設けられているので、第１ラッチ片３４ａを支持することができる。
【００２９】
ロック装置３０は、ロック本体を構成するラッチベース、ラッチ部材および操作部材を、合成樹脂の成型品によりそれぞれ形成することができる。また、ロック装置３０は、保持手段の係止片３８および位置決め片４０を、合成樹脂の成型品であるリッドベース２０と一体的に形成してある。
【００３０】
〔実施例の作用〕
次に、実施例に係るロック装置３０の作用について説明する。ロック本体３２をリッドベース２０に取り付ける際には、規制部５２に位置決め片４０を嵌め合わせて、ラッチベース４４を左右の位置決め片４０,４０の間に挿入すると共に、左右の係止片３８,３８を弾性変形させて押し広げて、両係止片３８,３８の間に配置する。ここで、左右の位置決め片４０,４０は、対向する端面の間が、ロック本体３２が挿入される開放端側から根元側に向かうにつれて狭くなっているので、ロック本体３２を両位置決め片４０,４０の間に挿入し易く、挿入するに伴って端面の傾斜によりロック本体３２を適正な取り付け位置に案内することができる。また、左右の位置決め片４０,４０における対向する端面の間隔は、根元側でラッチベース４４に合わせて設定されているので、ロック本体３２を左右にがたつきなく保持することができる。更に、ラッチベース４４の規制部５２に位置決め片４０を嵌め合わせる構成であるので、ロック本体３２が前後方向へ位置ずれすることを防止することができる。なお、規制部５２を構成する誘導片５６が、ロック本体３２の挿入方向に沿って延在しているので、ロック本体３２の取り付けに際して、誘導片５６によってラッチベース４４を案内することができる。ロック装置３０は、係止片３８の係止爪３８ａがラッチベース４４の係止受部５０に引っ掛かって、ロック本体３２が抜け止めされる。また、左右の位置決め片４０,４０にラッチベース４４が挟まれて、ロック本体３２の左右方向への移動が規制されると共に、規制部５２と位置決め片４０とが引っ掛かって、ロック本体３２の上下方向の移動が規制される。ロック本体３２をリッドベース２０から取り外す際には、係止片３８を弾性変形させて係止爪３８ａを係止受部５０から外すことで、ロック本体３２を両係止片３８,３８および両位置決め片４０,４０の間から簡単に抜き出すことができる。
【００３１】
このように、ロック装置３０は、保持手段の係止爪３８ａおよびロック本体３２の係止受部５０の引っ掛け構造と、保持手段の一対の位置決め片４０,４０によるロック本体３２の挟み込み構造と、ロック本体３２の規制部５２による位置決め片４０の挟み込み構造とによって、ロック本体３２をリッドベース２０に対して三次元的に拘束した状態で保持することができる。また、ロック本体３２を保持する保持手段として、ねじなどの締結手段を用いていないので、工具を用いることなく、ロック本体３２をリッドベース２０に簡単に着脱することができる。ロック本体３２に締結手段を通すための部位を設ける必要がないので、ロック本体３２をコンパクトにすることができ、ロック本体３２をリッドベース２０とリッドカバー２２との間の狭いスペースに配置することが可能となる。更に、締結手段をねじ込むために工具を通すスペースを配慮する必要がないので、ロック本体３２や該ロック本体３２の周辺に配置される部材の設計の自由度を向上することができる。そして、ロック装置３０は、当受部８２によりラッチ部材３４にかかる荷重を支持することができるので、コンパクトな構成でありながら剛性が高くなっている。
【００３２】
図９(ａ)および図１０(ａ)に示すように、ラッチ部材３４は、外部から力がかかってない自然な状態において、付勢手段７０の付勢よりロック位置に位置付けられる。この際に、案内軸６０に案内部７６が押されて非操作位置へ向けて力が作用する操作部材３６は、停止部７８と案内軸６０との引っ掛かりにより非操作位置で位置付けられる。ロック本体３２は、操作部材３６を非操作位置から操作位置へ向けて押すと、案内部７６の傾斜に沿って案内軸６０が押されて、付勢手段７０の付勢に抗してラッチ部材３４が解除位置へ向けて移動する(図９(ｂ)および図１０(ｂ))。そして、操作部材３６のボタン部７２がラッチベース４４に当たって、操作位置を越えた移動が規制され、操作部材３６の操作によってはラッチ部材３４がオーバーストロークしない。ロック本体３２は、操作部材３６の押圧操作を解除すると、付勢手段７０の付勢によりラッチ部材３４が解除位置からロック位置へ戻ると共に、案内軸６０に案内部７６が押されて操作部材３６が操作位置から非操作位置に戻り、案内軸６０に停止部７８が引っ掛かって、操作部材３６が抜け止めされる。ここで、ラッチ部材３４の連係開口５８に挿入された操作部材３６の連係部７４が、一対の案内軸６０,６０に挟まれているから、操作部材３６の姿勢を安定させることができ、操作部材３６をスムーズに移動させることができる。
【００３３】
図１１に示すように、ロック本体３２は、ラッチ部材３４をオーバーストロークさせることで、ラッチ部材３４の案内軸６０が、操作部材３６の移動に伴う停止部７８の移動経路から外れて停止部７８と引っ掛からないので、操作部材３６をラッチ部材３４の連係開口５８に挿脱することができる。操作部材３６は、案内軸６０と停止部７８との引っ掛かりによりラッチ部材３４に保持される構成であるので、ラッチ部材３４をオーバーストロークさせるだけで、ラッチ部材３４に対して簡単に着脱することができる。このように、ラッチ部材３４に対する操作部材３６の保持構造についても、ねじなどの締結手段を用いていないので、取り付け工程を簡易にできると共に、ラッチ部材３４および操作部材３６をコンパクトにして、ロック装置３０を小型化することが可能となる。なお、リッドベース２０とリッドカバー２２とが組み付けられた状態であれば、ラッチ部材３４がオーバーストロークしても、ボタン開口２２ａの開口縁にボタン部７２の外周部が引っ掛かって、操作部材３６が抜け落ちることはない。
【００３４】
ラッチ部材３４は、左右の保持壁４６,４６を弾性変形させて、取付軸６２,６４を取付孔６６,６８に嵌め合わせることで、ラッチベース４４における保持壁４６,４６の間に簡単に取り付けることができる。また、ラッチ部材３４は、左右の保持壁４６,４６を弾性変形させて、取付軸６２,６４を取付孔６６,６８から抜き出すことで、ラッチベース４４から簡単に取り外すことができる。このように、ラッチベース４４に対するラッチ部材３４の保持構造についても、ねじなどの締結手段を用いていないので、取り付け工程を簡易にできると共に、ラッチベース４４およびラッチ部材３４をコンパクトにして、ロック装置３０を小型化することが可能となる。
【００３５】
(変更例)
前述した構成に限定されず、例えば以下のようにも変更することができる。
(１)実施例では、ロック装置を動作側となるリッドに設けたが、ロック装置をボックス本体などの固定側に設ける構成であってもよい。
(２)保持手段の係止片および位置決め片は、少なくとも一対あればよく、二対以上設けてもよい。
(３)対となる係止片および対となる位置決め片は、間に配置されるロック本体を挟んで対称な位置関係に限らず、ずれた位置関係で配置されていてもよい。
【符号の説明】
【００３６】
１３ ラッチ受部，２０ リッドベース(設置部)，３２ ロック本体，３４ ラッチ部材，
３６ 操作部材，３８ 係止片(保持手段)，３８ａ 係止爪，
４０ 位置決め片(保持手段)，４４ ラッチベース，４６ 保持壁(壁)，５０ 係止受部，
５２ 規制部，５８ 連係開口，６０ 案内軸，６２ 第１取付軸(取付軸)，
６４ 第２取付軸(取付軸)，６６ 第１取付孔(取付部)，６８ 第２取付孔(取付部)，
７０ 付勢手段，７６ 案内部，７８ 停止部，７４ 連係部
【図１】
0006715045.tif 000002
【図２】
0006715045.tif 000003
【図３】
0006715045.tif 000004
【図４】
0006715045.tif 000005
【図５】
0006715045.tif 000006
【図６】
0006715045.tif 000007
【図７】
0006715045.tif 000008
【図８】
0006715045.tif 000009
【図９】
0006715045.tif 000010
【図１０】
0006715045.tif 000011
【図１１】
0006715045.tif 000012
【図１２】
0006715045.tif 000013